(57)【要約】【課題】音声として記憶された音楽を各動作状態の識別音楽として編集することにより、音声として記憶された音楽の有効利用（カスタマイズ）を図ること。【解決手段】プリンタ３０１では、音声として曲（音声データ）がＲＡＭ３０３や記憶デバイス３０６に記憶されおり、ＬＣＤパネルモジュール３０８を構成する操作キーを使用して、音声として記憶された曲（音声データ）を識別音楽として編集し、編集された「選択曲（音声データ）」の各々を、ＬＣＤパネルモジュール３０８を構成する操作キー２７０を使用して、印刷状態や、エラー状態、待機状態などの動作状態のそれぞれに割当てており、各動作状態になると、「選択曲（音声データ）」が音声出力部３０４から音声として出力し、当該動作状態を知らせることができる。【選択図】　図９
2004017605.tif 000002
【特許請求の範囲】
【請求項１】
記憶手段に記憶された音声が音声出力手段から出力されることにより動作状態の識別が行われるプリンタにおいて、
ネットワークに接続するための接続手段を備え、
前記接続手段で接続されたネットワーク上の音楽を、前記記憶手段にダウンロードすることにより、前記音声として使用することを特徴とするプリンタ。
【請求項２】
印刷手段と、音声が記憶される記憶手段と、前記記憶手段に記憶された音声を出力する音声出力手段とを有するプリンタにおいて、
前記記憶手段に前記音声として記憶された音楽を識別音楽として編集する識別音楽編集手段と、
前記識別音楽の各々を動作状態のそれぞれに割当てる識別音楽割当手段とを備え、
前記音声出力手段から前記識別音楽が出力されることにより前記動作状態を知らせることを特徴とするプリンタ。
【請求項３】
請求項２に記載するプリンタであって、前記印刷手段を操作するための操作キーを備え、前記識別音楽編集手段は、前記識別音楽の各々を前記操作キーのキー毎に割当てることを特徴とするプリンタ。
【請求項４】
請求項２又は請求項３に記載するプリンタであって、前記識別音楽割当手段は、前記識別音楽の各々を前記動作状態のそれぞれに割当てる際に、前記音楽をグループ化するためのジャンルと前記動作状態とを対応させることを特徴とするプリンタ。
【請求項５】
請求項４に記載するプリンタであって、前記音声出力手段は、前記識別音楽のうち当該ジャンルに属するいずれかのものを出力することを特徴とするプリンタ。
【請求項６】
請求項３乃至請求項５のいずれか一つに記載するプリンタであって、前記識別音楽編集手段は、前記操作キーのキーを２度押下して前記音楽の全部又は一部を切り出すことにより、前記識別音楽として編集することを特徴とするプリンタ。
【請求項７】
請求項３乃至請求項５のいずれか一つに記載するプリンタであって、前記識別音楽編集手段は、前記操作キーを使って演奏時間及び演奏開始時点を特定して前記音楽の全部又は一部を切り出すことにより、前記識別音楽として編集することを特徴とするプリンタ。
【請求項８】
請求項７に記載するプリンタであって、前記ネットワーク上からダウンロードさせた音楽を当該ダウンロードの際に前記音声出力手段から出力させることを特徴とするプリンタ。
【請求項９】
請求項２乃至請求項８のいずれか一つに記載するプリンタであって、前記識別音楽割当手段による割当状況又は前記識別音楽編集手段の編集状況を前記印刷手段から出力させることを特徴とするプリンタ。
【発明の詳細な説明】
【０００１】
【発明の属する技術分野】
本発明は、動作状態に合わせて音声を発するプリンタに関する。
【０００２】
【従来の技術】
従来、動作状態に合わせて音声を発するプリンタとしては、例えば、特許第３２３２３０２号公報に記載されているように、各動作状態に合わせて機械音を発するものや、特許第２９５５４５５号公報に記載されているように、動作状態変化の際に音声メッセージを発するものがある。さらに、機械音や音声メッセージに代えて、識別音楽として、メロディなどの音楽を流すものも提案されている。
【０００３】
【発明が解決しようとする課題】
しかしながら、従来技術のプリンタでは、各動作状態に合わせて、或いは、動作状態変化の際に、デフォルト設定に基づき、記憶媒体に記憶されたメロディなどの音楽をそのまま流すだけであって、メロディなどの音声を使った有効利用（カスタマイズ）は考えられていないのが現状である。
【０００４】
そこで、本発明は、上述した問題点を解決するためになされたものであって、音声として記憶された音楽を各動作状態の識別音楽として編集することにより、音声として記憶された音楽の有効利用（カスタマイズ）を図ることができるプリンタを提供することを目的としている。
【０００５】
【課題を解決するための手段】
この目的を達成するために成された請求項１に係る発明のプリンタは、記憶手段に記憶された音声が音声出力手段から出力されることにより動作状態の識別が行われるプリンタにおいて、ネットワークに接続するための接続手段を備え、前記接続手段で接続されたネットワーク上の音楽を、前記記憶手段にダウンロードすることにより、前記音声として使用することを特徴としている。
【０００６】
すなわち、本発明のプリンタは、記憶手段に記憶された音声が音声出力手段から出力されることにより動作状態の識別が行われるものであるが、この点、接続手段で接続されたネットワーク上の音楽を、記憶手段にダウンロードすることにより、音声として使用することで、音声の有効利用（カスタマイズ）を図っている。
また、記憶手段に音声として記憶された音楽の種類・数を多くすることができ、各動作状態のそれぞれに割当てられる識別音楽の組合せが豊富となるので、ユーザーが飽きることがない。
【０００７】
また、請求項２に係る発明のプリンタは、印刷手段と、音声が記憶される記憶手段と、前記記憶手段に記憶された音声を出力する音声出力手段とを有するプリンタにおいて、前記記憶手段に前記音声として記憶された音楽を識別音楽として編集する識別音楽編集手段と、前記識別音楽の各々を動作状態のそれぞれに割当てる識別音楽割当手段とを備え、前記音声出力手段から前記識別音楽が出力されることにより前記動作状態を知らせることを特徴としている。
【０００８】
すなわち、本発明のプリンタでは、音声として音楽が記憶手段に記憶されており、識別音楽編集手段は、音声として音楽を識別音楽として編集し、識別音楽割当手段は、識別音楽編集手段で編集された識別音楽の各々を、動作状態のそれぞれに割当てており、各動作状態になると、識別音楽割当手段で割当てられた識別音楽が音声出力手段から出力し、当該動作状態を知らせることができるので、音声として記憶された音楽を各動作状態の識別音楽として編集することにより、音声として記憶された音楽の有効利用（カスタマイズ）を図っている。
【０００９】
また、請求項３に係る発明のプリンタは、請求項２に記載するプリンタであって、前記印刷手段を操作するための操作キーを備え、前記識別音楽編集手段は、前記識別音楽の各々を前記操作キーのキー毎に割当てることを特徴としている。
【００１０】
また、本発明のプリンタにおいて、識別音楽割当手段が、識別音楽の各々を、印刷手段を操作するための操作キーのキー毎に割当てると、動作状態のそれぞれに割当てられた識別音楽と操作キーのキーとを関連づけることができるので、操作キーのキーを押下することにより、動作状態のそれぞれに割当てられる識別音楽を聞くことができる。
【００１１】
また、請求項４に係る発明のプリンタは、請求項２又は請求項３に記載するプリンタであって、前記識別音楽割当手段は、前記識別音楽の各々を前記動作状態のそれぞれに割当てる際に、前記音楽をグループ化するためのジャンルと前記動作状態とを対応させることを特徴としている。
また、請求項５に係る発明のプリンタは、請求項４に記載するプリンタであって、前記音声出力手段は、前記識別音楽のうち当該ジャンルに属するいずれかのものを出力することを特徴としている。
【００１２】
また、本発明のプリンタにおいて、識別音楽割当手段が、識別音楽編集手段で編集された識別音楽の各々を、動作状態のそれぞれに割り当てる際に、識別音楽のジャンルと動作状態とを対応させると、各動作状態になると、識別音楽割当手段で割当てられたジャンルの中の識別音楽のいずれかを音声出力手段から出力させることができるので、ユーザーが飽きることがない。
【００１３】
また、請求項６に係る発明のプリンタは、請求項３乃至請求項５のいずれか一つに記載するプリンタであって、前記識別音楽編集手段は、前記操作キーのキーを２度押下して前記音楽の全部又は一部を切り出すことにより、前記識別音楽として編集することを特徴としている。
また、請求項７に係る発明のプリンタは、請求項３乃至請求項５のいずれか一つに記載するプリンタであって、前記識別音楽編集手段は、前記操作キーを使って演奏時間及び演奏開始時点を特定して前記音楽の全部又は一部を切り出すことにより、前記識別音楽として編集することを特徴としている。
【００１４】
また、一般的なプリンタにおいては、印刷手段を操作するための操作キーは少ないものであるが、この点、本発明のプリンタにおいて、識別音楽編集手段が、印刷手段を操作するための操作キーのキーを２度押下することにより、記憶手段に音声として記憶された音楽の全部又は一部を切り出して識別音楽として編集するものであったり、印刷手段を操作するための操作キーを使って演奏時間及び演奏開始時点を特定することにより、記憶手段に音声として記憶された音楽の全部又は一部を切り出して識別音楽として編集するものであれば、印刷手段を操作するための操作キーが少ないものであっても、簡単な操作をもって、音声として記憶された音楽を各動作状態の識別音楽として編集することができる。
【００１５】
また、請求項８に係る発明のプリンタは、請求項７に記載するプリンタであって、前記ネットワーク上からダウンロードさせた音楽を当該ダウンロードの際に前記音声出力手段から出力させることを特徴としている。
【００１６】
また、本発明のプリンタにおいて、接続手段を介して、ネットワーク上からダウンロードさせた音楽を、当該ダウンロードの際に、音声出力手段から出力させれば、そのときに、ユーザーは試聴して、記憶手段に記憶するか否かを判断することができる。
【００１７】
また、請求項９に係る発明のプリンタは、請求項２乃至請求項８のいずれか一つに記載するプリンタであって、前記識別音楽割当手段による割当状況又は前記識別音楽編集手段の編集状況を前記印刷手段から出力させることを特徴としている。
【００１８】
また、一般的なプリンタにおいては、情報を表示する画面は非常に小さなものであり、識別音楽割当手段による割当状況又は識別音楽編集手段の編集状況を表示するには一覧することが困難であるが、この点、本発明のプリンタにおいて、識別音楽割当手段による割当状況又は識別音楽編集手段の編集状況を、印刷手段から出力させれば、簡単に一覧することができる。
【００１９】
【発明の実施の形態】
以下に本発明の実施の形態について、図面とともに説明する。
図１は、本発明が適用されたファクシミリ装置１の使用形態を表す説明図であり、図２は、ファクシミリ装置１の外部構成を表す概略斜視図、図３は、ファクシミリ装置１の内部構成を表す説明図である。
【００２０】
図１に示すように、ファクシミリ装置１は、回線制御部３と、通信モジュール５とを備えている。回線制御部３は、外部接続ポート４（図４参照）を備えており、この外部接続ポート４には、建造物内（家庭内、オフィス内等）に設置されたスプリッタ８の電話機用の接続ポートに繋がるアナログ線Ｌ１（２芯線、４芯線からなる所謂電話線）が接続されている。
【００２１】
一方、通信モジュール５は、図４に示すように、ＷＡＮ側接続ポート６及びＬＡＮ側接続ポート７（図３参照）を備えており、ＷＡＮ側接続ポート６は、スプリッタ８のＡＤＳＬモデム用の接続ポートにＬＡＮケープルＬ２を介して接続されたＡＤＳＬモデム９に繋がるＬＡＮケーブルＬ３に接続され、ＬＡＮ側接続ポート７は、ハブ（ＨＵＢ）１１に接続されている。
【００２２】
また、このハブ１１には、双方向通信可能な複数のＰＣ１３、１４や、プリンタ１６（ネットワーク接続可能なインクジェットプリンタ、レーザプリンタなど）、ＩＰ（インターネット・プロトコル）方式で音声信号を送受信可能なＩＰ電話機１５、インターネット接続可能なインターネットファクシミリ装置１７などの各ＬＡＮ端末１３〜１７が接続されている。即ち、ハブ１１は、上記各ＬＡＮ端末１３〜１７から構成される建造物内のローカルエリアネットワーク（ＬＡＮ）に接続されている。
【００２３】
一方、上記スプリッタ８は、ＡＤＳＬを利用する際に使用される周知のスプリッタであり、基地局側に設定されたスプリッタ１９から送信されてくる概ね４ｋＨｚ以下の第一信号とそれより高周波のＡＤＳＬ用の第二信号とが重畳された伝送信号を、その第一信号と、第二信号に分離し、第一信号を、電話機用の上記接続ポートに出力すると共に第二信号をＡＤＳＬモデム用の上記接続ポートに出力する一方で、各接続ポートから入力されてきた信号を重畳して、基地局側のスプリッタ１９に送信するように構成されている。
【００２４】
即ち、本実施の形態のファクシミリ装置１は、回線制御部３を用いて、公衆回線網（即ち、公衆交換電話綱：ＰＳＴＮ）内の加入者電話機に接続可能な構成にされ、更に、通信モジュール５及びＡＤＳＬモデム９を介して広域ネットワーク（ＷＡＮ）としてのインターネットに接続可能な構成になっている。
【００２５】
更に、このファクシミリ装置１は、通信モジュール５の後述するルータ制御部１０１の動作により、インターネット内の通信装置（ＷＷＷサーバ２１等）とＬＡＮ内の各ＬＡＮ端末１３〜１７との間で送受信されるデータ（ＩＰパケット）をルーティングするルータとして機能するように構成されている。
【００２６】
また、本実施の形態のファクシミリ装置１は、原稿から光学的に画像を読み取り、その画像を表すイメージデータをファクシミリデータとして、上記アナログ線Ｌ１を介して公衆回線網に接続された外部のファクシミリ装置２３に送信すると共に、外部のファクシミリ装置２３から公衆回線網及びアナログ線Ｌ１を介して送信されてきたファクシミリデータを受信して、記録紙にそのファクシミリデータに基づく画像を形成する通常の機能（ファクシミリ機能）の他、プリンタ機能、コピー機能を有している。
【００２７】
このプリンタ機能とは、ＰＣ１３、１４やワードプロセッサ等から送信されてきたコードデータに基づく画像を記録紙に形成する機能のことを意味し、当該ファクシミリ装置１は、ＰＣインタフェース（ＰＣ　Ｉ／Ｆ）２４を介して外部のＰＣからコードデータを受信したり、通信モジュール５を介してＬＡＮ内のＰＣ１３，１４等からコードデータを受信すると、そのデータに基づく画像を記録紙に形成するように構成されている。また、コピー機能とは、後述するスキャナ部３５及び記録部３７を用いて、原稿から画像を読み取り、そのイメージデータに基づいて、記録紙に画像を形成する複写機能を意味する。
【００２８】
このような機能を有するファクシミリ装置１には、図２に示すように、その本体ケース２５の側部に、ハンドセット（Ｈ／Ｓ）２６が取り付けられ、上面の前部に、操作パネル２７が設けられている。尚、この操作パネル２７には、相手側の電話番号（ＦＡＸ番号）を入力するための数字キー２７１や、スタートキー２７２、選択キー２７３などの各種操作キー２７０と、各種機能に関連する情報を表示するための液晶ディスプレイ（ＬＣＤ）２７４とが備えられている。
【００２９】
この他、本体の上部後部には、装置内に供給する記録紙を収容するための第一給紙トレイ２９が設けられ、その上には記録紙を載置するためのものであって利用者による手差しで記録紙を供給するための第二給紙トレイ３１が設けられている。更に、その上には、読取用の原稿用紙を載置するための原稿用給紙トレイ３３が設けられている。
【００３０】
また、本体には、図３に示すように、原稿から画像を読み取るためのスキャナ部３５、記録紙に多色カラーの画像を形成するための記録部３７、及び、これらの各部の駆動を制御するＣＰＵ３９（図４参照）を搭載する基板（図示せず）、などが内蔵されている。
【００３１】
スキャナ部３５では、原稿用給紙トレイ３３に載置された原稿が、原稿センサ（図示せず）により検出され、図３の矢印Ａにて示すように、給紙ローラ４１及び分離パッド４３等からなる給紙機能によって一枚ずつ取り込まれ、この後に、搬送ローラ４５により読取装置４７まで搬送される。そして、読取装置４７では、原稿上に形成されている画像が読み取られる。また、読取装置４７による画像読取後の原稿は、排紙ローラ４９を介して前方に設けられた第一排紙トレイ５１に排出される。
【００３２】
尚、このスキャナ部３５には、上記原稿センサの他に、原稿の先頭を検出する原稿フロントセンサ５３と、原稿の後端を検出する原稿リアセンサ５５とが設けられており、ＣＰＵ３９は、これらのセンサからの検出結果に基づき、スキャナ部３５内の各部を制御して紙送りを調整し、上記スキャナ部３５の動作を実現する。
【００３３】
一方、記録部３７では、第一給紙トレイ２９あるいは第二給紙トレイ３１に載置された記録紙が、図３の矢印Ｂにて示すように、給紙ローラ５７及び分離パッド５９等からなる給紙機構によって一枚ずつ取り込まれる。そして、記録紙は、搬送ローラ６１を介して画像形成装置６３に送られる。画像形成装置６３では、記録紙上に複数色（本実施の形態ではシアン、マゼンタ、イエロー及びブラック）のトナーの組合せによる多色カラーの画像が形成される。また、画像形成装置通過後の記録紙は、下流側の定着装置６５に送られる。そして、この定着装置６５では、トナーによる画像が記録紙上に定着される。更に定着装置通過後の記録紙は、排紙ローラ６７を介して、本体の前面に設けられた第二排紙トレイ６９に排出される。
【００３４】
尚、上記画像形成装置６３は、レーザ光走査装置７１を動作させて感光ドラムにレーザ光を照射し、その表面に静電潜像を形成する構成になっている。このレーザ光走査装置７１は、ＣＰＵ３９からの指令に従って、イメージデータに基づくレーザ光を発射するレーザ発光部７７と、レーザ光反射用のレンズ７８、及びレンズ７８に反射されたレーザ光を感光ドラムに導く反射ミラー７９等を備えている。この他、画像形成差置６３は、トナーを貯留するトナータンク７３を備えており、静電潜像形成後の感光ドラムにトナータンク７３から供給されたトナーを付着させ、転写ローラ７５により、記録紙に電荷を付与して感光ドラムに付着したトナーを記録紙に転写する構成になっている。
【００３５】
次に、ファクシミリ装置１の電気的構成について説明する。尚、図４は、本実施の形態のファクシミリ装置１の電気的構成を表すフロック図である。また、図５は、ＲＡＭ８３のデータ構成を表す説明図（図５（ａ））、ＲＯＭ８１内のデータ構成を表す説明図（図５（ｂ））及び、後述する宛先情報記憶部８３ｃ内のデータ構成を表す説明図（図５（ｃ））である。
【００３６】
ファクシミリ装置１は、主に、ＣＰＵ３９、ＲＯＭ８１、ＲＡＭ８３、スキャナ部３５、符号器８５、記録部３７、復号器８７、操作キー２７０、ＬＣＤ２７４、モデム８９、回線制御部３、ＰＣインタフェース（ＰＣ　Ｉ／Ｆ）２４、メール制御部９１、機能拡張用インタフエース（Ｉ／Ｆ）９３を備えており、夫々はパス９５を介して接続されている。また、この機能拡張用インタフェース９３には、通信モジュール５が接続されている。
【００３７】
ＣＰＵ３９は、本装置の制御の中枢を担っており、装置全体を統括制御するように構成されている。つまり例えば、ＣＰＵ３９は、ＲＯＭ８１内に予め記録された制御処理用のプログラムを読み出し、そのプログラムに従って、ファクシミリデータの送受信や、宛先登録等の処理を実行する。
【００３８】
尚、ＲＯＭ８１内には、当該装置をファクシミリ装置として動作させるために必要なファクシミリ機能用プログラム群８１ａ（図５（ｂ）参照）が記憶されている。具体的には例えば、回線制御部３が外部のファクシミリ装置２３から受信したファクシミリデータに基づく画像を記録部３７に形成させるための受信用プログラム等が上記ファクシミリ機能用プログラムとしてＲＯＭ８１に納められている。
【００３９】
また、ＲＯＭ８１内には、当該装置をＰＣ等から送信されてきたデータを印刷するプリンタとして動作させるために必要なプリンタ機能用プログラム群８１ｂが記憶されている。具体的には例えば、通信モジュール５がＬＡＮ内のＰＣ１３，１４から受信したデータに基づく画像を記録部３７に形成させるためのＰＣ印刷用プログラムが上記プリンタ機能用プログラムとしてＲＯＭ８１に納められている。
【００４０】
この他、ＲＯＭ８１内には、上記プログラム等で呼び出される記録部制御用プログラム８１ｃや、その他の図示しない各種プログラム、そのプログラム実行時に必要な各種データが予め記憶されている。
【００４１】
一方、ＲＡＭ８３は、各種制御を行う際に必要なワークメモリ８３ａ（図５（ａ）参照）や、ファクシミリデータ等を記憶する送受信データ記憶部８３ｂ、ファクシミリデータの送信先に閑する宛先情報を記憶する宛先情報記録部８３ｃとして機能するようにされている。
【００４２】
また、宛先情報記憶部８３ｃは、図５（ｃ）に示すように、ファクシミリデータの送信先に関する宛先情報として電話番号を記録可能な構成になっており、更に、この電話番号に関連づけて、メールアドレスを記憶可能な構成になっている。即ち、当該ファクシミリ装置１は、相手先装置（外部のファクシミリ装置２３）が公衆回線網経由のファクシミリデータの送受信の他に、インターネット経由の電子メールの送受信を行うことが可能な構成になっている場合に備えて、一つの宛名に対して、電話番号とメールアドレスの両方を併記した形で宛先情報を登録できるように構成されている。
【００４３】
スキャナ部３５は、ファクシミリデータの送信やコピー（原稿の複写）等の際に、原稿を読み取るためのものである。本実施の形態のスキャナ部３５は、上述したように、原稿を原稿用給紙トレイ３３から取得し、読取装置４７にて画像を読み取り、読取結果としてのイメージデータを符号器８５などに出力するように構成されている。
【００４４】
また、符号器８５は、スキャナ部３５によって読み取られたイメージデータをファックスフォーマットであるＧ３圧縮形式のイメージデータにするために、符号化処理を実行し、その処理後のイメージデータを出力するように構成されている。
一方、復号器８７は、ファックスフォーマットのイメージデータを復号化して、記録部３７にて処理可能なイメージデータに変換するように構成されている。
【００４５】
また、記録部３７は、上述したように、カラー画像を形成可能な所謂カラーレーザプリンタとして機能するように構成されており、記録部制御用プログラム８１ｃを実行するＣＰＵ３９からの指令に従い、復号器８７によって復号化されたイメージデータに基づくカラー画像を、画像形成装置６３を用いて記録紙に印刷し、印例後の記録紙を出力するように構成されている。
【００４６】
尚、本実施の形態の記録部３７は、通常印刷モードの他に、通常より静かな音で画像を形成することが可能な静音印刷モードを備えており、これらの印刷モードをＣＰＵ３９からの指令に従って切り換えて動作するように構成されている。また、記録部３７は、単色印刷も可能な構成になっており、ＣＰＵ３９からの指令にしたがって、指定色のトナーのみを用いて画像を形成することが可能である。
【００４７】
この他、操作キー２７０は、上述したように操作パネル２７上に設けられており、利用者の操作に従って、宛先情報の登録、宛先の指定、メモ情報の入力や選択等といった各種処理操作を行うための指令信号を装置内（ＣＰＵ３９など）に入力するように構成されている。
【００４８】
同じく操作パネル２７に設けられたＬＣＤ２７４は、利用者に操作手順を案内するメッセージやエラーメッセージ等の各種メッセージ等を表示するための表示手段として設けられている。また、本実施の形態のＬＣＤ２７４は、タッチパネルとしての機能を備えており、ファクシミリデータの宛先指定や宛先情報の登録の際に、ワンタッチキーの表示を行うと共に、利用者の操件情報を取得し装置内に入力するように構成されている。
【００４９】
モデム８９は、回線制御部３を介してスプリッタ８経由で公衆回線網に接続された外部のファクシミリ装置２３との間でファクシミリデータの送受信を行うためのものである。回線制御部３は、公衆回線網に対するダイヤル信号の送出や、公衆回線網からの呼出信号に対する応答等の動作を行うものであり、例えば、公衆回線網を介して自身を外部のファクシミリ装置２３に通信可能に接続する。
【００５０】
一方、ＰＣインタフェース２４は、ＰＣと当該ファクシミリ装置１とをパラレルインタフェース等を介して接続するときに用いられるものであり、ＰＣ１３，１４からのコードデータ等を受信したりする。
【００５１】
また、メール制御部９１は、インターネットに接続された外部の通信装置との間で電子メールの送受信を行うことによって、電子メールによるファクシミリデータの送受信を実現するものである。
つまり、メール制御部９１は、符号器８５にて符号化されたファクスフォーマットのバイナリイメージデータを、テキストコードのイメージデータに変換すると共に、送信先のメールアドレス等を含むヘッダ情報をそのデータに付加することにより、ファックスフォーマットのイメージデータを、電子メールとして送信可能な電子メールフォーマットのイメージデータにフォーマット変換したり、逆にインターネット経由で通信モジュール５を介して受信した電子メールフォーマットのイメージデータを、ファックスフォーマットのイメージデータに逆フォーマット変換する処理を行う。尚、このメール制御部９１によってファックスフォーマットのイメージデータに逆フォーマット変換されたデータは、復号器８７によつて記録部３７で出力可能なイメージデータに復号化されてから記録紙に印刷される。
【００５２】
機能拡張用インタフェース（Ｉ／Ｆ）９３は、別体で構成されたルータ制御部１０１を備える通信モジュール５を着脱自在に接続することができるように構成されたＡＩＯ（アナログ入出力）やＲＳ２３２Ｃ等のシリアルインタフェースである。尚、図３に示すように、通信モジュール５は、装置の本体ケース２５内に収容される。
【００５３】
また、通信モジュール５は、ルータ制御部１０１、ハブ（ＨＵＢ）１０３、ＩＰ電話部１０５、無線処理部１０７、ウェブプリント部１１０や、ルータ制御部１０１に繋がるインタフェース接続端子１０９などを備えている。尚、通信モジュール５は、このインタフェース接続端子１０９を介してインタフェース９３に接続される。
【００５４】
ルータ制御部１０１は、ＡＤＳＬモデム９を介してインターネット内の通信装置との間でＩＰパケットの送受信を行うためのものであり、周知のＩＰマスカレード機能やルーテイング機能を備えるブロードバンドルータとして機能する。
即ち、このルータ制御部１０１は、ＩＰマスカレード機能により、ＬＡＮ内で用いられるプライベートＩＰアドレスと、ＷＡＮ（本実施の形態ではインターネット内）で用いられるグローバルＩＰアドレスとを相互変換し、ルーティング機能により、ＬＡＮ側の端末と、ＷＡＮ側の通信装置（ＷＷＷサーバ２１）とを双方向通信可能に接続する。
【００５５】
例えば、ルータ制御部１０１は、ハブ１０３を介してＩＰ電話部１０５、無線処理部１０７、ウェブプリント部１１０との間でのデータの送受信を行うことにより、ＩＰ電話部１０５、無線処理部１０７及びウェブプリント部１１０をＡＤＳＬモデム９を介してインターネットに双方向通信可能に接続する。
【００５６】
また更に、ルータ制御部１０１は、ハブ１０３を介してＬＡＮ側接続ポート７に接続されるＬＡＮ内のＬＡＮ端末１３〜１７との間で通信を行うことにより、ＬＡＮ内のＬＡＮ端末１３〜１７をインターネットに双方向通信可能に接続する。つまり例えば、ルータ制御部１０１は、経路制御して、インターネット内のＷＷＷサーバ２１から受信したデータを、宛先のＬＡＮ端末１３〜１７に送信する。
【００５７】
この他、ルータ制御部１０１は、装置本体側のＣＰＵ３９とインタフェース９３を介して通信を行うことができるように構成されている。即ち、ＬＡＮ端末１３〜１７やＩＰ電話部１０５、無線処理部１０７、ウェブプリント部１１０は、ルータ制御部１０１及びインタフェース９３を介して装置本体側のＣＰＵ３９と双方向通信を行うことができ、例えば、当該ファクシミリ装置１のＣＰＵ３９は、ルータ制御部１０１を介してＬＡＮ内のＰＣ１３，１４から印刷用のコードデータを取得すると、ＣＰＵ３９にて、プリンタ機能用プログラムを実行し、そのプログラム内で記録部制御用プログラム８１ｃを呼び出して記録部３７を制御し、そのデータに基づく画像を形成する。
【００５８】
一方、このルータ制御部１０１にハブ１０３を介して接続されたＩＰ電話部１０５は、音声信号をＩＰパケットに格納し、インターネット経由で、外部のＩＰ電話機と、音声通信（通話）を行うことが可能なように構成されている。
【００５９】
また、無線処理部１０７は、外部の無線通信装置と該当ファクシミリ装置１との間で無線通信を行うためのものであり、フルートゥース規格（近距離無線通信の規格）やＩｒＤＡ規格（赤外線通信の規格）による無線接続方式にて、外部の無線通信装置をファクシミリ装置１内の各部に双方向通信可能に接続するように構成されている。即ち、当該ファクシミリ装置１においては、ハブ１０３に接続された接続ポート７を用いることにより、有線接続方式にて各ＬＡＮ端末１３〜１７をファクシミリ装置１に接続することができる他、この無線処理部１０７を用いることにより、無線接続方式にてＬＡＮ端末１３〜１７をファクシミリ装置１に接続することができる。
【００６０】
この他、ウェブプリント部１１０は、ＣＰＵ１１１、ＲＯＭ１１３、ＲＡＭ１１５、ネットワークインタフェース１１７などを備えており、ネットワークインタフエース１１７を介してルータ制御部１０１との間で通信を行うことにより、自身をインターネットに接続したり、装置本体側のＣＰＵ３９と通信を行う構成にされている。
【００６１】
ここで、図６は、ウェブプリント部１１０のＲＡＭ１１５内のデータ構成を表す説明図（図６（ａ））、ＲＯＭ１１３内のデータ構成を表す説明図（図６（ｂ））である。
このウェブプリント部１１０におけるＲＡＭ１１５は、図６（ａ）に示すように、ワークメモリ１１５ａや、ＷＷＷサーバ２１から取得したダウンロードデータ等を記憶する送受信データ記憶部１１５ｂ、ＷＷＷサーバ２１のアドレス（ＵＲＬ：Ｕｎｉｆｏｒｍ　Ｒｅｓｏｕｒｃｅ　Ｌｏｃａｔｏｒ）情報を記憶するＵＲＬ情報記憶部１１５ｃ、後述する転送機能を使用する際のデータ転送先に関する転送先情報を記憶する転送先情報記憶部１１５ｄ、アクセス禁止データベース１１５ｅ、キーワードデータベース１１５ｆ、履歴情報記憶部１１５ｇ、ログ記憶部１１５ｈなどとして機能するように構成されている。
【００６２】
ＵＲＬ情報記憶部１１５ｃは、図６（ｃ）に示すように、データ取得先を表すＵＲＬに関連付けて、メモ情報、スケジューラ用設定データを複数個記録可能な構成になっている。
即ち、通信モジュール５は、利用者による操作パネル２７の操作等によって外部入力されたメモ情報を、対応するＵＲＬに対して関連付けてＵＲＬ情報記憶部１１５ｃに登録できるように構成されている。尚、周知のようにＵＲＬは、サーバアドレス、ディレクトリ情報、ファイル名などから構成されるアドレス情報である。また、図７は、ウェブプリント部１１０のＣＰＵ１１１が実行するＵＲＬ・メモ情報登録処理を表すフロ一チャートである。
【００６３】
処理を実行すると、ＣＰＵ１１１は、Ｓ１０１にてＵＲＬ及びメモ情報の入力を求める入力指示メッセージをインタフェース９３を介して装置本体側に送信することにより、装置本体側のＬＣＤ２７４にその入力指示メッセージを表示させる。この後、ＣＰＵ１１１は、Ｓ１０３にて、ＵＲＬ及びメモ情報の登録指令が操作パネル２７からインタフェース９３を介して送信されてくるまで待機し、登録指令を受信すると、Ｓ１０５にて、その操作パネル２７から入力されたＵＲＬ及びメモ情報を装置本体側から取得し、更にＳ１０７にて、そのＵＲＬ及びメモ情報を互いに関連付けてＵＲＬ情報記憶部１１５ｃに記録させる。尚、メモ情報は、現状においてＵＲＬがローマ字で標記され、その表示だけではどのホームページヘアクセスするかがわかりにくく、更には、ＬＣＤ２７４の表示領域も限られているため、目的のＵＲＬを探すのが容易ではないことから、利用者が瞬時にそのＵＲＬを判別できるようにするために設けたものである。
【００６４】
この他、転送先情報記憶部１１５ｄは、後述するプリンタ転送用のアドレス情報と、ＰＣ転送用のアドレス情報とを記憶するように構成されている。尚、この転送先情報記憶部１１５ｄは、プリンタ転送用及びＰＣ転送用のアドレス情報として、ＬＡＮ内のプライベートＩＰアドレスに加え、ポート番号を記憶するように構成されている。
【００６５】
一方、ウェブプリント部１１０におけるＲＯＭ１１３内には、図６（ｂ）に示すように、ＷＷＷサーバ２１からデータを取得したり、当該装置の記録部３７にＷＷＷサーバ２１から取得したダウンロードデータを印刷させるための後述する各処理を表すウェブプリント機能用プログラム群１１３ａや、ウェブプリント機能動作時における動作条件を表すフラグ情報１１３ｂなどが記憶されている。
【００６６】
詳述すると、このウェブプリント部１１０は、ルータ制御部１０１経由でＷＷＷサーバ２１から取得したダウンロードデータに基づく画像を記録部３７に印刷させる印刷機能、ＲＡＭ１１５内にデータを一時保存する保存機能、ダウンロードデータをＬＡＮ側接続ポート７を介してＬＡＮに接続された転送先のプリンタ（転送先情報記憶部１１５ｄに記憶されているプリンタ転送先のアドレス情報で特定されるプリンタ）１６に転送するプリンタ転送機能、ダウンロードデータをＬＡＮ側接続ポート７を介してＬＡＮに接続されたＰＣ１３，１４に転送するＰＣ転送機能、ダウンロードデータに基づく画像を記録部３７に単色で印刷させる単色印刷機能、印刷時の機械音が抑えられた上記静音印刷モードで記録部３７を動作させてダウンロードデータに基づく画像を印刷させる静音印刷機能、ウェブプリント部１１０で実行した各処理に関するログ情報を保存するログ保存機能、エラーメッセージをＬＣＤ２７４に表示させるエラー情報表示機能等を備えており、これらの機能をＲＯＭ１１３内が記憶するウェブプリント機能用プログラム群１１３ａで実現するように構成され、図８に示すフラグ情報１１３ｂに基づいて、各機能を動作させるかどうか（即ち、機能のＯＮ／ＯＦＦ）を切り換えるように構成されている。
尚、図８は、フラグ情報１１３ｂとしてＲＯＭ１１３内に記憶されているデータの構成を表す説明図である。
【００６７】
ウェブプリント部１１０は、所定条件で、図８に示す『正常』動作モード、『ＵＲＬアクセス不許可』動作モード、『印刷キャンセル』動作モード・『パスワードエラー』動作モード、『キーワードエラー』動作モード、『同一コンテンツ検出』動作モード、『夜間印刷』動作モード、『留守番』動作モード、『大量モノクロ印刷』動作モード、『紙なしエラー』動作モード、『トナーなしエラー』動作モードのいずれかを選択し、各機能の値（以下、「フラグ値」と表現する。）をフラグセット情報としてＲＡＭ１１５内に書き込むことによってフラグをセットするようにされている。また、ウェブプリント部１１０は、フラグ値”１”以上で、その機能を動作（ＯＮ）させ、フラグ値”０”で、その機能の動作を禁止（ＯＦＦ）するように構成されている。また、図８において表す記号＊は、その動作モードが選択される前にフラグセット情報として記憶されているフラグ値を書き換えないようすることを示している。
【００６８】
次に、本実施の形態のプリンタ３０１について説明する。図９は、本実施の形態のプリンタ３０１のブロック図である。図９に示すように、本実施の形態のプリンタ３０１は、図１のファクシミリ装置１に相当するものであって、ＣＰＵ３０２と、ＲＡＭ３０３、音声出力部３０４、印刷部３０５、記憶デバイス３０６、音声解析部３０７、ＬＣＤパネルモジュール３０８、通信処理部３０９などから構成されている。
【００６９】
この点、ＣＰＵ３０２は、後述するフローチャートを実行するものであって、図４のＣＰＵ３９に相当するものである。また、ＲＡＭ３０３は、後述するフローチャートを実行する際に使用するものであって、図４のＲＡＭ８３に相当するものである。また、音声出力部３０４は、上記ＲＡＭ３０３などに記憶された曲（音声データ）を出力するもの（例えば、スピーカ装置）である。また、印刷部３０５は、図１のファクシミリ装置１のプリンタ機能に相当し、コードデータを介して、記録紙に画像を形成させるものである。
【００７０】
また、記憶デバイス３０６は、後述するフローチャートや曲（音声データ）などが記憶されるものであって、ハードディスク装置や図４のＲＯＭ８１などに相当するものである。また、音声解析部３０７は、ＲＡＭ３０３や記憶デバイス３０６などを使用して、曲（音声データ）を解析するものである。また、ＬＣＤパネルモジュール３０８は、後述するフローチャートを操作する際に使用し、また、現操作や各種機能に関連する情報を表示するものであって、図４の操作キー２７０やＬＣＤ２７４に相当するものである。また、通信処理部３０９は、Ｗｅｂ上の音楽サイトに接続するものであって、図５の通信モジュールに相当するものである。
【００７１】
また、図１０は、本実施の形態のプリンタ３０１において、Ｗｅｂ上の音楽サイトから取得した曲（音声データ）の取り扱いを説明するためのブロック図である。図１０に示すように、本実施の形態のプリンタ３０１において、Ｗｅｂ上の音楽サイトからダウンロードされた曲（音声データ）は、図４のＲＡＭ８３などに確保された受信バッファ３１０に一時的に蓄積される。
【００７２】
その後は、或る曲（音声データ）は、ＲＡＭ３０３に記憶されて、外部出力装置３１１で出力される。この点、外部出力装置３１１には、上述した音声出力部３０４が代表的なものであるが、曲（音声データ）に関する情報を表示するＬＣＤパネルモジュール３０８などもある。尚、ＲＡＭ３０３や外部出力装置３１１などから音声出力部が構成される。また、或る曲（音声データ）は、図４のＲＯＭ８１などの記憶デバイス３０６に記憶される。そして、曲（音声データ）は、上記音声解析部３０７や、ＬＣＤパネルモジュール３０８を使用した音声登録部を介して、ＲＡＭ３０３と記憶デバイス３０６との間で伝送される。
【００７３】
また、図１１は、本実施の形態のプリンタ３０１において、Ｗｅｂ上の音楽サイトから曲（音声データ）を取得する際のフローチャート図である。すなわち、図１１に示すように、Ｓ２０１において、Ｗｅｂ上の音楽サイトから送信されてきた曲（音声データ）をＲＡＭ３０３にロードするか否かを判断する。ここで、Ｗｅｂ上の音楽サイトから送信されてきた曲（音声データ）をＲＡＭ３０３にロードすると判断した場合（Ｓ２０２：Ｙｅｓ）には、Ｓ２０２に進んで、Ｗｅｂ上の音楽サイトから送信されてきた曲（音声データ）を試聴するか否かを判断する。
【００７４】
ここで、Ｗｅｂ上の音楽サイトから送信されてきた曲（音声データ）を試聴しないと判断した場合（Ｓ２０２：Ｎｏ）には、Ｓ２０４に進む。一方、Ｗｅｂ上の音楽サイトから送信されてきた曲（音声データ）を試聴すると判断した場合（Ｓ２０２：Ｙｅｓ）には、Ｓ２０３において、Ｗｅｂ上の音楽サイトから送信されてきた曲（音声データ）を音声出力部３０４で出力し、Ｓ２０４に進む。
【００７５】
また、Ｓ２０４では、ＲＡＭ３０３にロードした曲（音声データ）を保存するか削除するかを判断する。ここで、ＲＡＭ３０３にロードした曲（音声データ）を保存すると判断した場合には、Ｓ２０６に進む。一方、ＲＡＭ３０３にロードした曲（音声データ）を削除すると判断した場合には、Ｓ２０５に進んで、ＲＡＭ３０３にロードした曲（音声データ）を削除し、終了する。
【００７６】
また、Ｓ２０６では、次のＳ２０７の処理に伴う、パスワードを設定する処理を行う。そして、Ｓ２０７において、ＲＡＭ３０３にロードした曲（音声データ）を記憶デバイス３０６（ハードディスク装置や図４のＲＯＭ８１など）に保存する。その後、Ｓ２０８においては、記憶デバイス３０６（ハードディスク装置や図４のＲＯＭ８１など）に保存した曲（音声データ）に関する情報を印刷するか否かを判断する。ここで、記憶デバイス３０６（ハードディスク装置や図４のＲＯＭ８１など）に保存した曲（音声データ）に関する情報を印刷すると判断した場合（Ｓ２０８：Ｙｅｓ）には、Ｓ２０９に進んで、印刷部３０５を介して、記憶デバイス３０６（ハードディスク装置や図４のＲＯＭ８１など）に保存した曲（音声データ）に関する情報を印刷し、終了する。一方、記憶デバイス３０６（ハードディスク装置や図４のＲＯＭ８１など）に保存した曲（音声データ）に関する情報を印刷しないと判断した場合（Ｓ２０８：Ｎｏ）には、何もすることなく、終了する。
【００７７】
また、図１２は、本実施の形態のプリンタ３０１において、記憶デバイス３０６（ハードディスク装置や図４のＲＯＭ８１など）に保存した曲（音声データ）を出力する際のフローチャート図である。すなわち、ＬＣＤパネルモジュール３０８を使用して、Ｓ２１１において、記憶デバイス３０６（ハードディスク装置や図４のＲＯＭ８１など）に保存した曲（音声データ）を選択し、Ｓ２１２において、パスワードを入力する。そうすれば、Ｓ２１３において、記憶デバイス３０６（ハードディスク装置や図４のＲＯＭ８１など）に保存した曲（音声データ）が出力される。尚、Ｓ２１３での出力は、音声出力部３０４による出力が代表的なものであるが、ＬＣＤパネルモジュール３０８に曲（音声データ）に関する情報を表示するものなどもある。
【００７８】
また、図１３は、本実施の形態のプリンタ３０１において、記憶デバイス３０６（ハードディスク装置や図４のＲＯＭ８１など）に保存した曲（音声データ）を消去する際のフローチャート図である。すなわち、ＬＣＤパネルモジュール３０８を使用して、Ｓ２２１において、記憶デバイス３０６（ハードディスク装置や図４のＲＯＭ８１など）に保存した曲（音声データ）を選択し、Ｓ２２２において、パスワードを入力する。そうすれば、Ｓ２２３において、記憶デバイス３０６（ハードディスク装置や図４のＲＯＭ８１など）に保存した曲（音声データ）が削除される。
【００７９】
また、図１４は、本実施の形態のプリンタ３０１において、記憶デバイス３０６（ハードディスク装置や図４のＲＯＭ８１など）に保存した曲（音声データ）を編集する際のフローチャート図である。すなわち、Ｓ２３１において、ＬＣＤパネルモジュール３０８を使用して、記憶デバイス３０６（ハードディスク装置や図４のＲＯＭ８１など）に保存した曲（音声データ）を選択し、Ｓ２３２において、パスワードを入力する。
【００８０】
その後は、Ｓ２３２で選択された曲（音声データ）（以下、「選択曲（音声データ）」という）について、時間設定するかパネル設定するかを判断する（Ｓ２３３）。ここで、時間設定すると判断した場合には、Ｓ２３４において、「選択曲（音声データ）」を音声出力部３０４で出力するか否かを判断する。ここで、「選択曲（音声データ）」を音声出力部３０４で出力しないと判断した場合（Ｓ２３４：Ｎｏ）には、Ｓ２３１に戻る。一方、「選択曲（音声データ）」を音声出力部３０４で出力すると判断した場合（Ｓ２３４：Ｙｅｓ）には、「選択曲（音声データ）」を音声出力部３０４で出力し、Ｓ２３５に進んで、ＬＣＤパネルモジュール３０８を使用して開始点を指定した後、Ｓ２３６に進んで、ＬＣＤパネルモジュール３０８を使用して終了点を指定することにより、Ｓ２３７において、「選択曲（音声データ）」の切り出しを完了させる。
【００８１】
その後は、Ｓ２３８において、開始点及び終了点で切り出された「選択曲（音声データ）」を試聴するか否かを判断する。ここで、試聴しないと判断した場合（Ｓ２３８：Ｎｏ）には、Ｓ２４０に進む一方、試聴すると判断した場合（Ｓ２３８：Ｙｅｓ）には、Ｓ２３９において、開始点及び終了点で切り出された「選択曲（音声データ）」を音声出力部３０４で出力した後、Ｓ２４０に進む。
【００８２】
その後は、Ｓ２４０において、開始点及び終了点で切り出された「選択曲（音声データ）」を登録するか否かを判断する。ここで、登録しないと判断した場合（Ｓ２４０：Ｎｏ）には、Ｓ２３４に戻って、Ｓ２３４以降の処理を繰り返す。一方、登録すると判断した場合（Ｓ２４０：Ｙｅｓ）には、Ｓ２４１において、登録された「選択曲（音声データ）」に関する情報を印刷するか否かを判断する。
【００８３】
ここで、登録された「選択曲（音声データ）」に関する情報を印刷しないと判断した場合（Ｓ２４１：Ｎｏ）には、終了する。一方、登録された「選択曲（音声データ）」に関する情報を印刷すると判断した場合（Ｓ２４１：Ｙｅｓ）には、Ｓ２４２に進んで、登録された「選択曲（音声データ）」に関する情報の全てを印刷するか否かを判断する。ここで、登録された「選択曲（音声データ）」に関する情報の全てを印刷すると判断した場合（Ｓ２４２：Ｙｅｓ）には、Ｓ２４４に進んで、登録された「選択曲（音声データ）」に関する情報の一覧を印刷部３０５で印刷し、終了する。一方、登録された「選択曲（音声データ）」に関する情報の全てを印刷するのではないと判断した場合（Ｓ２４２：Ｎｏ）には、Ｓ２４３に進んで、当該「選択曲（音声データ）」に関する情報のみを印刷部３０５で印刷して、終了する。
【００８４】
尚、上述したＳ２３３において、時間設定すると判断した場合には図１５のＳ２５１に進む。Ｓ２５１では、ＬＣＤパネルモジュール３０８を使用して、「選択曲（音声データ）」の出力を開始するまでの時間と出力する時間を指定する。そして、Ｓ２５２において、「選択曲（音声データ）」を音声出力部３０４で出力するか否かを判断する。ここで、切り出した「選択曲（音声データ）」を音声出力部３０４で出力しないと判断した場合（Ｓ２５２：Ｎｏ）には、図１４のＳ２３１に戻る。一方、「選択曲（音声データ）」を音声出力部３０４で出力すると判断した場合（Ｓ２５２：Ｙｅｓ）には、Ｓ２５１で指定された出力を開始するまでの時間と出力する時間に従って、Ｓ２５３にて、「選択曲（音声データ）」を音声出力部３０４で出力し、「選択曲（音声データ）」の切り出しを完了させる。
【００８５】
その後は、Ｓ２５４において、Ｓ２５１で指定された出力を開始するまでの時間と出力する時間により切り出された「選択曲（音声データ）」を試聴するか否かを判断する。ここで、試聴しないと判断した場合（Ｓ２５４：Ｎｏ）には、Ｓ２５６に進む一方、試聴すると判断した場合（Ｓ２５４：Ｙｅｓ）には、Ｓ２５５において、Ｓ２５１で指定された出力を開始するまでの時間と出力する時間により切り出された「選択曲（音声データ）」を音声出力部３０４で出力した後、Ｓ２５６に進む。
【００８６】
その後は、Ｓ２５６において、Ｓ２５１で指定された出力を開始するまでの時間と出力する時間により切り出された「選択曲（音声データ）」を登録するか否かを判断する。ここで、登録しないと判断した場合（Ｓ２５６：Ｎｏ）には、Ｓ２５１に戻って、Ｓ２５１以降の処理を繰り返す。一方、登録すると判断した場合（Ｓ２５６：Ｙｅｓ）には、Ｓ２５７において、登録された「選択曲（音声データ）」に関する情報を印刷するか否かを判断する。
【００８７】
ここで、登録された「選択曲（音声データ）」に関する情報を印刷しないと判断した場合（Ｓ２５７：Ｎｏ）には、終了する。一方、登録された「選択曲（音声データ）」に関する情報を印刷すると判断した場合（Ｓ２５７：Ｙｅｓ）には、Ｓ２５８に進んで、登録された「選択曲（音声データ）」に関する情報の全てを印刷するか否かを判断する。ここで、登録された「選択曲（音声データ）」に関する情報の全てを印刷すると判断した場合（Ｓ２５８：Ｙｅｓ）には、Ｓ２６０に進んで、登録された「選択曲（音声データ）」に関する情報の一覧を印刷部３０５で印刷し、終了する。一方、登録された「選択曲（音声データ）」に関する情報の全てを印刷するのではないと判断した場合（Ｓ２５８：Ｎｏ）には、Ｓ２５９に進んで、当該「選択曲（音声データ）」に関する情報のみを印刷部３０５で印刷して、終了する。
【００８８】
また、図１６は、本実施の形態のプリンタ３０１において、記憶デバイス３０６（ハードディスク装置や図４のＲＯＭ８１など）に登録された曲（音声データ）を割当てを行う際のフローチャート図である。すなわち、Ｓ２７１において、ＮＶＲＡＭデフォルト設定により、プリンタ３０１の各動作状態への割当てが決定される。この点、プリンタ３０１の各動作状態とは、印刷状態、エラー状態、待機状態などがある。
【００８９】
その後は、Ｓ２７２において、プリンタ３０１の各動作状態への割当てを変更するか否かを判断する。ここで、プリンタ３０１の各動作状態への割当てを変更しないと判断した場合（Ｓ２７２：Ｎｏ）には、終了する。一方、プリンタ３０１の各動作状態への割当てを変更すると判断した場合（Ｓ２７２：Ｙｅｓ）には、Ｓ２７３に進んで、割当ての変更をジャンル指定で行うか直接指定で行うかを判断する。ここで、割当ての変更を直接指定で行うと判断した場合には、Ｓ２７４に進んで、ＬＣＤパネルモジュール３０８を使用して、登録された「選択曲（音声データ）」単位で、登録された「選択曲（音声データ）」をプリンタ３０１の各動作状態に割当てる。例えば、プリンタ３０１の印刷状態はＡ曲からＢ曲に、エラー状態はＡ曲からＢ曲に、待機状態はＣ曲からＤ曲など変更するようして割当てる。
【００９０】
そして、Ｓ２７４での割当ては終了するまで行い（Ｓ２７５：Ｎｏ）、Ｓ２７４での割当てが終了したら（Ｓ２７５：Ｙｅｓ）、Ｓ２７６に進んで、登録された「選択曲（音声データ）」に関する情報を印刷するか否かを判断する。ここで、登録された「選択曲（音声データ）」に関する情報を印刷すると判断した場合（Ｓ２７６：Ｙｅｓ）には、Ｓ２７７に進んで、登録された「選択曲（音声データ）」に関する情報の全てを印刷するか否かを判断する。ここで、登録された「選択曲（音声データ）」に関する情報の全てを印刷すると判断した場合（Ｓ２７７：Ｙｅｓ）には、Ｓ２７８にて、登録された「選択曲（音声データ）」に関する情報の一覧を印刷部３０５で印刷し、終了する。一方、登録された「選択曲（音声データ）」に関する情報の全てを印刷しないと判断した場合（Ｓ２７７：Ｎｏ）には、Ｓ２７９に進んで、登録した当該「選択曲（音声データ）」に関する情報のみ印刷部３０５で印刷して、終了する。
尚、上述したＳ２７６において、登録された「選択曲（音声データ）」に関する情報を印刷しないと判断した場合（Ｓ２７６：Ｎｏ）も、終了する。
【００９１】
一方、上述したＳ２７３において、割当ての変更をジャンル指定で行うと判断した場合には、図１７のＳ２８１に進む。この点、ジャンルとは、「選択曲（音声データ）」をグループ化するためのものであり、例えば、Ｗｅｂ上の音楽サイトから取得した曲（音声データ）の情報フィールドに内包されたジャンルコードから判断され、ブルースや、クラッシック・ロック、カントリー、ダンス、ディスコ、ファンクなどに区分される。そして、Ｓ２８１では、ＬＣＤパネルモジュール３０８を使用して、登録された「選択曲（音声データ）」のジャンル単位で、登録された「選択曲（音声データ）」のジャンルをプリンタ３０１の各動作状態に割当てる。例えば、プリンタ３０１の印刷状態はＡジャンルからＢジャンルに、エラー状態はＢジャンルからＡジャンルに、待機状態はＣジャンルからＤジャンルなど変更するようして割当てる。このとき、プリンタ３０１の２つ以上の動作状態が一つのジャンルを共有してもよい。
【００９２】
そして、Ｓ２８１での割当ては終了するまで行い（Ｓ２８２：Ｎｏ）、Ｓ２８１での割当てが終了したら（Ｓ２８２：Ｙｅｓ）、Ｓ２８３に進んで、登録された「選択曲（音声データ）」をそれぞれのジャンルに割当てる処理を手操作で選択して行うか、それとも、後述するランダムの自動処理（Ｓ２８６）で行うかを判断する。ここで、登録された「選択曲（音声データ）」をそれぞれのジャンルに割当てる処理を手操作で行うと判断した場合には、Ｓ２８４に進んで、当該処理を手動作を終了するまで行い（Ｓ２８５：Ｎｏ）、Ｓ２８４での割当てが終了したら（Ｓ２８５：Ｙｅｓ）、Ｓ２８８に進む。一方、上述したＳ２８３において、登録された「選択曲（音声データ）」をそれぞれのジャンルに割当てる処理をランダムの自動処理で行うと判断した場合には、ランダムの自動処理を行った（Ｓ２８６）後、Ｓ２８７において、登録された「選択曲（音声データ）」をそれぞれのジャンルに割当てる処理を終了するか否かを判断する。ここで、終了しないと判断した場合（Ｓ２８７：Ｎｏ）には、Ｓ２８１に戻る。一方、終了すると判断した場合（Ｓ２８７：Ｙｅｓ）には、Ｓ２８８に進む。
【００９３】
ここで、ランダムの自動処理（Ｓ２８６）とは、登録された「選択曲（音声データ）」のうち、情報フィールドに内包されたジャンルコードが同一のものを、ランダムに一つ選んだジャンル（プリンタ３０１の各動作状態に割当てられたもの）に割当てるものである。そして、この割当ては、全てのジャンルについて割当てられるまで行われる。
尚、このランダムの自動処理は、電源投入時においても自動的に行ってもよい。
【００９４】
そして、Ｓ２８８では、登録された「選択曲（音声データ）」に関する情報の全てを印刷するか否かを判断する。ここで、登録された「選択曲（音声データ）」に関する情報の全てを印刷すると判断した場合（Ｓ２８８：Ｙｅｓ）には、Ｓ２８８に進んで、例えば、図１８のリストのように、登録された「選択曲（音声データ）」に関する情報の一覧を印刷部３０５で印刷し、終了する。一方、登録された「選択曲（音声データ）」に関する情報の全てを印刷しないと判断した場合（Ｓ２８８：Ｎｏ）には、終了する。
【００９５】
以上詳細に説明したように、本実施の形態のプリンタ３０１では、音声として曲（音声データ）がＲＡＭ３０３や記憶デバイス３０６に記憶されおり、図１４及び図１５のフローチャートに示すように、ＬＣＤパネルモジュール３０８を構成する図４の操作キー２７０を使用して、音声として記憶された曲（音声データ）を識別音楽として編集し、図１６及び図１７のフローチャートに示すように、図１４及び図１５のフローチャートで編集された「選択曲（音声データ）」の各々を、ＬＣＤパネルモジュール３０８を構成する図４の操作キー２７０を使用して、印刷状態や、エラー状態、待機状態などの動作状態のそれぞれに割当てており、各動作状態になると、図１６及び図１７のフローチャートで割当てられた「選択曲（音声データ）」が音声出力部３０４から音声として出力し、当該動作状態を知らせることができるので、音声として記憶された曲（音声データ）を各動作状態の識別音楽として編集することにより、音声として記憶された曲（音声データ）の有効利用（カスタマイズ）を図っている。
【００９６】
従って、本実施の形態のプリンタ３０１は、ＲＡＭ３０３や記憶デバイス３０６に音声として記憶された曲（音声データ）が、音声出力部３０４から出力されることにより、印刷状態や、エラー状態、待機状態などの動作状態の識別が行われるものであるが、この点、図１１のフローチャートに示すように、通信処理部３０９で接続されたネットワーク上の音楽を、ＬＣＤパネルモジュール３０８を構成する図４の操作キー２７０のキーを使って、ＲＡＭ３０３や記憶デバイス３０６に音声としてダウンロードすることができ、さらに、ダウンロードされた曲（音声データ）を音声として使用しているので、音声としてダウンロードされた曲（音声データ）の有効利用（カスタマイズ）を図ることができる。
【００９７】
また、本発明のプリンタ３０１では、図１４及び図１５のフローチャートにおいて、ＲＡＭ３０３や記憶デバイス３０６に記憶された曲（音声データ）の各々を、ＬＣＤパネルモジュール３０８を構成する図４の操作キー２７０を使用して、識別音楽として編集する際に、図１４のＳ２４０や図１５のＳ２５６の登録作業において、ＬＣＤパネルモジュール３０８を構成する図４の操作キー２７０のキー毎に割当てると、動作状態のそれぞれに割当てられた曲（音声データ）とＬＣＤパネルモジュール３０８を構成する図４の操作キー２７０のキーとを関連づけることができ、さらに、図１２のフローチャートで示すように、ＬＣＤパネルモジュール３０８を構成する図４の操作キー２７０のキーを押下することにより、関連づけられた曲（音声データ）を音声出力部３０４から音声として出力することができるので、動作状態のそれぞれに割当てられる曲（音声データ）の各々を聞くことができる。
【００９８】
また、本実施の形態のプリンタ３０１において、図１７のフローチャートに示すように、図１４及び図１５のフローチャートで編集された「選択曲（音声データ）」の各々を、ＬＣＤパネルモジュール３０８を構成する図４の操作キー２７０のキーを使って、動作状態のそれぞれに割当てる際に、「選択曲（音声データ）」のジャンルと動作状態とを対応させると、各動作状態になると、図１７のフローチャートで割当てられたジャンルの中の「選択曲（音声データ）」のいずれかを音声出力部３０４から音声として出力させることができるので、ユーザーが飽きることがない（図１８参照）。
【００９９】
また、一般的なプリンタにおいては、印刷操作するための操作キーは少ないものであるが、この点、本実施の形態のプリンタ３０１においては、図１４のフローチャートでは、ＬＣＤパネルモジュール３０８を構成する図４の操作キー２７０のキーを２度押下することにより（Ｓ２３５，Ｓ２３６）、ＲＡＭ３０３や記憶デバイス３０６に音声として記憶された曲（音声データ）の全部又は一部を切り出して識別音楽として編集する一方、図１５のフローチャートでは、ＬＣＤパネルモジュール３０８を構成する図４の操作キー２７０のキーを使って、曲（音声データ）の演奏時間及び演奏開始時点を特定することにより（Ｓ２５１）、ＲＡＭ３０３や記憶デバイス３０６に音声として記憶された曲（音声データ）の全部又は一部を切り出して識別音楽として編集するので、ＬＣＤパネルモジュール３０８を構成する図４の操作キー２７０のキーが少ないものであっても、簡単な操作をもって、ＲＡＭ３０３や記憶デバイス３０６に音声として記憶された曲（音声データ）を各動作状態の識別音楽として編集することができる。
【０１００】
また、本実施の形態のプリンタ３０１においては、図１１のフローチャートに示すように、通信処理部３０９で接続されたネットワーク上の音楽を、ＬＣＤパネルモジュール３０８を構成する図４の操作キー２７０のキーを使って、ＲＡＭ３０３や記憶デバイス３０６に音声としてダウンロードすることができ、ＲＡＭ３０３や記憶デバイス３０６に音声として記憶された曲（音声データ）の種類・数を多くすることができ、各動作状態のそれぞれに割当てられる「選択曲（音声データ）」の組合せが豊富となるので、ユーザーが飽きることがない。
【０１０１】
また、本実施の形態のプリンタ３０１においては、図１１のフローチャートにに示すように、通信処理部３０９で接続されたネットワーク上の音楽を、ＬＣＤパネルモジュール３０８を構成する図４の操作キー２７０のキーを使って、ＲＡＭ３０３や記憶デバイス３０６に音声としてダウンロードする際に、ＬＣＤパネルモジュール３０８を構成する図４の操作キー２７０のキーを使って、ＲＡＭ３０３や記憶デバイス３０６に記憶された曲（音声データ）の各々を音声出力部３０４から出力させることができ（Ｓ２０３）、そのときに、ユーザーは試聴して、記憶デバイス３０６に記憶するか否かを判断することができるので（Ｓ２０４）、操作性がよくなる。
【０１０２】
また、本実施の形態のプリンタ３０１においては、情報を表示する図４のＬＣＤ２７４の画面は非常に小さなものであり、図１６及び図１７のフローチャートによる割当状況又は図１４及び図１５のフローチャートによる編集状況を表示するには一覧することが困難であるが、この点、ＬＣＤパネルモジュール３０８を構成する図４の操作キー２７０のキーを使って、印刷部３０５から出力させることができるので、簡単に一覧することができる。
【０１０３】
尚、本発明は上記実施の形態に限定されるものでなく、その趣旨を逸脱しない範囲で様々な変更が可能である。
例えば、本実施の形態のプリンタ３０１は、プリンタ機能だけでなく、ファクシミリ機能やコピー機能を有するものであったが、プリンタ機能だけのものであってもよい。
【０１０４】
また、本実施の形態のプリンタ３０１では、ＬＣＤパネルモジュール３０８を構成する図４の操作キー２７０を使用して、図１１〜図１７のフローチャートに示す編集作業を行っているが、この点、本実施の形態のプリンタ３０１に内蔵させたＷｅｂページにＰＣのプラウザを通じてアクセスして、図１１〜図１７のフローチャートに示す編集作業を行ってもよい。
具体的には、例えば、現在登録された「選択曲（音声データ）を確認する場合には、プラウザからプリンタ３０１のＵＲＬを指定し、図１９に示すようなＷｅｂページ４０２を表示した際に、「曲名１」や「ジャンル１」のリスト・ボックスをクリックすれば、図２０に示すようなＷｅｂページ４０３がプラウザに表示されるので、現在登録された「選択曲（音声データ）を確認することが可能となる。また、プリンタ３０１の各動作状態への割当てを変更する場合には、図２１に示すようなＷｅｂページ４０４をプラウザに表示させた後に、「ジャンル」や「曲名」のリスト・ボックスをクリックすれば、「ジャンル」や「曲名」を変更させることができるので、プリンタ３０１のエラー状態の各種類（ＪＡＭ１や、ＪＡＭ２、カバーオープン、トナーエンプティなど）ごとに割当てを変更することが可能となる。さらに、記憶デバイス３０６（ハードディスク装置や図４のＲＯＭ８１など）に保存した曲（音声データ）を編集する場合には、図２２に示すようなＷｅｂページ４０５をプラウザに表示させた後に、各リスト・ボックスあるいはテキスト・ボックスのいずれかをクリックすれば、指定の変更や数値の入力が行えるので、記憶デバイス３０６（ハードディスク装置や図４のＲＯＭ８１など）に保存した曲（音声データ）を編集することが可能となる。
尚、この場合において、各Ｗｅｂページ４０２，４０３，４０４，４０５は、プリンタ３０１が内蔵するＷｅｂサーバーが作成したものであり、プラウザでＰＣからプリンタ３０１にアクセスすることで、操作することができる。すなわち、各Ｗｅｂページ４０２，４０３，４０４，４０５は、ＲＯＭ８１に記憶されたＷｅｂサーバープログラムをＣＰＵ３９上で動作させることにより、ＬＡＮを通じて、プラウザに送信される。
【０１０５】
【発明の効果】
本発明のプリンタは、記憶手段に記憶された音声が音声出力手段から出力されることにより動作状態の識別が行われるものであるが、この点、接続手段で接続されたネットワーク上の音楽を、記憶手段にダウンロードすることにより、音声として使用すると共に、音声の有効利用（カスタマイズ）を図ることができる。また、記憶手段に音声として記憶された音楽の種類・数を多くすることができ、各動作状態のそれぞれに割当てられる識別音楽の組合せが豊富となるので、ユーザーが飽きることがない。
【０１０６】
また、本発明のプリンタでは、音声として音楽が記憶手段に記憶されており、識別音楽編集手段は、音声として音楽を識別音楽として編集し、識別音楽割当手段は、識別音楽編集手段で編集された識別音楽の各々を、動作状態のそれぞれに割当てており、各動作状態になると、識別音楽割当手段で割当てられた識別音楽が音声出力手段から出力し、当該動作状態を知らせることができるので、音声として記憶された音楽を各動作状態の識別音楽として編集することにより、音声として記憶された音楽の有効利用（カスタマイズ）を図っている。
【０１０７】
また、本発明のプリンタにおいて、識別音楽割当手段が、識別音楽の各々を、印刷手段を操作するための操作キーのキー毎に割当てると、動作状態のそれぞれに割当てられた識別音楽と操作キーのキーとを関連づけることができるので、操作キーのキーを押下することにより、動作状態のそれぞれに割当てられる識別音楽を聞くことができる。
【０１０８】
また、本発明のプリンタにおいて、識別音楽割当手段が、識別音楽編集手段で編集された識別音楽の各々を、動作状態のそれぞれに割り当てる際に、識別音楽のジャンルと動作状態とを対応させると、各動作状態になると、識別音楽割当手段で割当てられたジャンルの中の識別音楽のいずれかを音声出力手段から出力させることができるので、ユーザーが飽きることがない。
【０１０９】
また、一般的なプリンタにおいては、印刷手段を操作するための操作キーは少ないものであるが、この点、本発明のプリンタにおいて、識別音楽編集手段が、印刷手段を操作するための操作キーのキーを２度押下することにより、記憶手段に音声として記憶された音楽の全部又は一部を切り出して識別音楽として編集するものであったり、印刷手段を操作するための操作キーを使って演奏時間及び演奏開始時点を特定することにより、記憶手段に音声として記憶された音楽の全部又は一部を切り出して識別音楽として編集するものであれば、印刷手段を操作するための操作キーが少ないものであっても、簡単な操作をもって、音声として記憶された音楽を各動作状態の識別音楽として編集することができる。
【０１１０】
また、本発明のプリンタにおいて、接続手段を介して、ネットワーク上からダウンロードさせた音楽を、当該ダウンロードの際に、音声出力手段から出力させれば、そのときに、ユーザーは試聴して、記憶手段に記憶するか否かを判断することができる。
【０１１１】
また、一般的なプリンタにおいては、情報を表示する画面は非常に小さなものであり、識別音楽割当手段による割当状況又は識別音楽編集手段の編集状況を表示するには一覧することが困難であるが、この点、本発明のプリンタにおいて、識別音楽割当手段による割当状況又は識別音楽編集手段の編集状況を、印刷手段から出力させれば、簡単に一覧することができる。
【図面の簡単な説明】
【図１】本実施の形態のファクシミリ装置１の使用形態を表す説明図である。
【図２】ファクシミリ装置１の外部構成を表す概略斜視図である。
【図３】ファクシミリ装置１の内部構成を表す説明図である。
【図４】ファクシミリ装置１の電気的構成を表すブロック図である。
【図５】ＲＯＭ８１及びＲＡＭ８３内のデータ構成を表す説明図である。
【図６】ウェブプリント部１１０のＲＯＭ１１３及びＲＡＭ１１５内のデータ構成を表す説明図である。
【図７】ウェブプリント部１１０のＣＰＵ１１１が実行するＵＲＬ・メモ情報登録処理を表すフローチャートである。
【図８】ＲＯＭ１１３内に記憶されているフラグ情報１１３ｂに関する説明図である。
【図９】本発明の一実施形態によるプリンタのブロック図である。
【図１０】本発明の一実施形態によるプリンタのブロック図である。
【図１１】本発明の一実施形態によるプリンタのフローチャート図である。
【図１２】本発明の一実施形態によるプリンタのフローチャート図である。
【図１３】本発明の一実施形態によるプリンタのフローチャート図である。
【図１４】本発明の一実施形態によるプリンタのフローチャート図である。
【図１５】本発明の一実施形態によるプリンタのフローチャート図である。
【図１６】本発明の一実施形態によるプリンタのフローチャート図である。
【図１７】本発明の一実施形態によるプリンタのフローチャート図である。
【図１８】本発明の一実施形態によるプリンタにおいて、割当ての変更をジャンル指定で行った場合のリストを印刷した一例を示した図である。
【図１９】本発明の一実施形態によるプリンタに内蔵されたＷｅｂページの一例を示した図である。
【図２０】本発明の一実施形態によるプリンタに内蔵されたＷｅｂページの一例を示した図である。
【図２１】本発明の一実施形態によるプリンタに内蔵されたＷｅｂページの一例を示した図である。
【図２２】本発明の一実施形態によるプリンタに内蔵されたＷｅｂページの一例を示した図である。
【符号の説明】
３０１　プリンタ
３０２　ＣＰＵ
３０３　ＲＡＭ
３０４　音声出力部
３０５　印刷部
３０６　記憶デバイス
３０７　音声解析部
３０８　ＬＣＤパネルモジュール
３０９　通信処理部
３１０　受信バッファ
３１１　外部出力装置
【図１】
2004017605.tif 000003
【図２】
2004017605.tif 000004
【図３】
2004017605.tif 000005
【図４】
2004017605.tif 000006
【図５】
2004017605.tif 000007
【図６】
2004017605.tif 000008
【図７】
2004017605.tif 000009
【図８】
2004017605.tif 000010
【図９】
2004017605.tif 000011
【図１０】
2004017605.tif 000012
【図１１】
2004017605.tif 000013
【図１２】
2004017605.tif 000014
【図１３】
2004017605.tif 000015
【図１４】
2004017605.tif 000016
【図１５】
2004017605.tif 000017
【図１６】
2004017605.tif 000018
【図１７】
2004017605.tif 000019
【図１８】
2004017605.tif 000020
【図１９】
2004017605.tif 000021
【図２０】
2004017605.tif 000022
【図２１】
2004017605.tif 000023
【図２２】
2004017605.tif 000024